(57)【要約】【課題】画像形成装置にＲＦＩＤペーパーを使用した際のＲＦＩＤペーパー内のデータ保護及び寿命判断を行う。【解決手段】  ＲＦＩＤリーダーを各給紙部に備えた画像形成装置において、ＲＦＩＤリーダーによりＲＦＩＤペーパーが検知された際、警告手段により警告する事を特徴とする画像形成装置。【選択図】        図１
2006220709.tif 000002
【特許請求の範囲】
【請求項１】
ＲＦＩＤリーダーを各給紙部に備えた画像形成装置において、
ＲＦＩＤリーダーによりＲＦＩＤペーパーが検知された際、警告手段により警告する事を特徴とする画像形成装置。
【請求項２】
ＲＦＩＤリーダーを各給紙部に備えた画像形成装置において、
ＲＦＩＤペーパー内の定格データの読み取り手段と、
装置の定着温度及び高圧電圧値と比較する比較手段と、
ＲＦＩＤリーダーによりＲＦＩＤペーパーが検知された際、前記比較手段の比較結果に基づいて、警告手段により警告すべく制御する制御手段とを有する事を特徴とする画像形成装置。
【請求項３】
ＲＦＩＤリーダーを表紙インサーター給紙部に備えたシート処理装置を後処理装置とする画像形成装置において、
前記ＲＦＩＤリーダーによりＲＦＩＤペーパー内の製造年月日データを読み出し、装置内のカレンダー情報からデータ保持時間を算出する算出手段と、
前記算出手段により算出されたデータ保持時間とＲＦＩＤペーパーのデータ保持寿命時間とを比較する比較手段と、
前記比較手段の出力に応じて、前記後処理装置の排紙処理を制御する制御手段を有する事を特徴とする画像形成装置。
【請求項４】
ＲＦＩＤリーダーライタを表紙インサーター給紙部に備えたシート処理装置を後処理装置とする画像形成装置において、
前記ＲＦＩＤリーダーライタによりＲＦＩＤペーパー内に各プリントＪＯＢのデータを書き込み、該当ＪＯＢのプリント出力紙と共に出力制御する制御手段を有する事を特徴とする画像形成装置。
【発明の詳細な説明】
【技術分野】
【０００１】
本発明は複写機、レーザービームプリンタ等の画像形成装置に関するものである。
【背景技術】
【０００２】
従来、非接触ＩＣ（ＲＦＩＤ）を用いた様々な物及びシステムが考案されている。例えば紙の中にＲＦＩＤを埋め込んだＲＦＩＤペーパーがある。紙の中に種々の情報が埋め込まれる事で多種多様な使用方法が考えられている（例えば、特許文献１）。
【特許文献１】特開２００２−１２０４７５号公報
【発明の開示】
【発明が解決しようとする課題】
【０００３】
しかしながら、画像形成に電子写真方式を採用している複写機等の画像形成装置にＲＦＩＤペーパーを使用する場合、ＲＦＩＤペーパーに転写高圧、分離高圧等の高圧電圧がかかり、トナー定着の際に高温がかかる可能性が高い。その際にＲＦＩＤ内のデータが破損する可能性が有り、好ましくない。また、ＲＦＩＤのデータ保持できる時間は有限であるため、データ保持時間を過ぎてしまったＲＦＩＤペーパーは機能を果たす事ができない。しかしながら、ＲＦＩＤが紙の中に埋め込まれている為にデータ保持時間を判断する事が困難であるという問題点もある。
【０００４】
本発明は、以上の点に着目して成されたもので、ＲＦＩＤペーパーを使用した際のＲＦＩＤペーパー内のデータ保護及び寿命判断を行う画像形成装置を提供することを目的とする。
【課題を解決するための手段】
【０００５】
本発明は、上記課題を解決するために、ＲＦＩＤリーダーを各給紙部に備えた画像形成装置において、ＲＦＩＤリーダーによりＲＦＩＤペーパーが検知された際、警告手段により警告する事によって前記の問題点を解決しようとするものである。
【０００６】
また、ＲＦＩＤリーダーを各給紙部に備えた画像形成装置において、ＲＦＩＤペーパー内の定格データの読み取り手段と、装置の定着温度及び高圧電圧値と比較する比較手段と、ＲＦＩＤリーダーによりＲＦＩＤペーパーが検知された際、前記比較手段の比較結果に基づいて、警告手段により警告すべく制御する制御手段とを有する事によっても前記の問題点を解決しようとするものである。
【０００７】
また、ＲＦＩＤリーダーを表紙インサーター給紙部に備えたシート処理装置を後処理装置とする画像形成装置において、前記ＲＦＩＤリーダーによりＲＦＩＤペーパー内の製造年月日データを読み出し、装置内のカレンダー情報からデータ保持時間を算出する算出手段と、前記算出手段により算出されたデータ保持時間とＲＦＩＤペーパーのデータ保持寿命時間とを比較する比較手段と、前記比較手段の出力に応じて、前記後処理装置の排紙処理を制御する制御手段を有する事によっても前記の問題点を解決しようとするものである。
【０００８】
また、ＲＦＩＤリーダーライタを表紙インサーター給紙部に備えたシート処理装置を後処理装置とする画像形成装置において、前記ＲＦＩＤリーダーライタによりＲＦＩＤペーパー内に各プリントＪＯＢのデータを書き込み、該当ＪＯＢのプリント出力紙と共に出力制御する制御手段を有する事によっても前記の問題点を解決しようとするものである。
【発明の効果】
【０００９】
本発明では、ＲＦＩＤペーパーが画像形成装置の各給紙部に置かれたらユーザーに警告表示するまたは画像形成装置の高圧値、定着温度値とＲＦＩＤペーパーの定格値を比較して定格値をこえていた場合はユーザーに警告表示する構成としたので、ＲＦＩＤペーパーにデータの破損が起こり得るような高電圧、高温がかからなくなる。
【００１０】
また、インサーター給紙部からの給紙を利用してＲＦＩＤペーパーの寿命を判断し、寿命が尽きた紙を通常とは別のトレイに排出できる構成としたので、ユーザーが誤ってデータの保持ができないＲＦＩＤペーパーを使用することがなくなる。
【００１１】
また、インサーター給紙部にＲＦＩＤペーパーが置かれている場合にはＪＯＢ毎に仕切り紙としてＲＦＩＤペーパーが使用されるので、ユーザーはＲＦＩＤリーダーをかざす事で自分のＪＯＢによって出力された紙を容易に見つけ出す事が可能となる。この様にＲＦＩＤペーパーを画像形成装置に使用する場合の使い勝手が格段に向上する。
【発明を実施するための最良の形態】
【００１２】
以下に、図面を参照して本発明の実施例を説明する。
【実施例】
【００１３】
図１は本発明の画像形成装置の構成を説明する断面図である。
１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。
【００１４】
また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。
【００１５】
１２０、１２２、１２４は給紙ユニットであり、各給紙ローラ１２１、１２３、１２５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。
【００１６】
１２９は搬送ベルトで、転写プロセスの終了した転写用紙を定着器１３０に搬送し、例えば熱により定着される。１３１はフラッパであり、定着プロセスの終了した転写用紙の搬送パスを、フィニッシャー１３２または中間トレイ１３７の配置方向のいずれかに制御する。フィニッシャー１３２に排紙された用紙は各ビンに仕分けされ、コントローラ部１３９からの指示によりステイプルを行う。
【００１７】
１４１はインサーター給紙部であり、例えば表紙、仕切り紙として使用する紙を給紙する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００１８】
５００は非接触ＩＣのリーダーライタ部であり、非接触ＩＣが埋め込まれた用紙が原稿自動送り装置１４２、各給紙ユニット１２０，１２２，１２４、インサーター給紙部１４１に置かれた場合、非接触ＩＣの内容を読み込んだり、書き換える。リーダーライタ部の詳細な説明は後述する。
【００１９】
１３９のコントローラ部には後述するマイクロコンピュータ、画像処理部等を備えており、操作パネル１４０からの指示に従って、前述の画像形成動作を行う。
【００２０】
図２は非接触ＩＣ部６００を備えた用紙７００を示す概略図である。非接触ＩＣ部は数ｍｍ角の大きさであり、用紙の端部または中央部に埋め込まれている。埋め込む数は最低１個であるが、複数の非接触ＩＣ部を埋め込んだ構成でもよい。
【００２１】
次に、図３を用いて、非接触ＩＣ部６００の詳細な説明を行う。非接触ＩＣ部６００は、６０１の不揮発性メモリ、６０２の電波を送受信するためのアンテナ部と、６０３の共振コンデンサ部、６０４の電源の整流・平滑を行うための電力形成部と、６０５の電波の変調、復調を行うための復変調部、６０６の制御部とから構成される。
【００２２】
６０２のアンテナ部は、６０３の共振コンデンサと組み合わされ、共振回路を構成できるようになっている。外部から電力を供給するための電波信号が送られることにより、これを共振回路で受け取って、前記６０４に示される電力形成部へ供給し、６０４の電力生成部は６００の非接触ＩＣを動作させるための電力を供給することが可能となる。前記電力は、６０１の不揮発性メモリや、６０５の復変調回路へ供給される。６０６の制御部は、６００の非接触ＩＣ部の制御を行うためのものである。
【００２３】
外部から、電力を供給するための電波とあわせて、非接触ＩＣ部から読み出す、または書き着込むためのデータも同時に送受信され、６００の非接触ＩＣ部へ送られてきた信号は、６０５の復変調回路によって、復調され６０６の制御部を介して、６０１の不揮発性メモリへ記憶される。また、６０６の制御部によって、６０１の不揮発性メモリから読み出されたデータは、６０５の復変調回路によって変調され、６０２のアンテナ部から電波信号として送信可能である。
【００２４】
図４を用いて、原稿自動送り装置１４２、インサーター給紙部１４１、給紙ニット１２０、１２２、１２４にそれぞれ取り付けられるリーダーライタ部５００の詳細な説明を行う。リーダーライタ部５００は、６００の非接触ＩＣ部に対して電波を送信するための送信アンテナ部５０１と、送信アンテナから送信する電波の変調を行うための変調回路５０２と、６００の非接触ＩＣ部から送られてくる電波を受信するための受信アンテナ部５０３、５０３の受信アンテナ部より受信した信号を復調するための復調回路５０４、また５０１の送信アンテナ部と、５０２の変調回路、５０３の受信アンテナ部、５０４の復調回路を制御するための制御部５０５と、上位機器との通信を行うＩ／Ｆ部５０６と、送信アンテナ部５０１に接続され、６００の非接触ＩＣへの電力供給を行う電源５０７から構成される。前記制御部５０５は、外部からの指示により５０２の変調回路を用いて電力を供給するための電波および、送信するデータを変調して、５０１の送信アンテナ部より外部へ電波を送信する。また、外部より受信した電波信号を、５０３の受信アンテナ部で受信して、５０４の復調回路によって復調したのち、データ信号として扱えるように変換することが可能である。
【００２５】
図５は画像形成装置におけるコントローラ部１３９のブロック図である。
【００２６】
２０１は画像形成装置全体の制御を行うＣＰＵであり、装置本体の制御手順（制御プログラム）を記憶した読み取り専用メモリ２０３（ＲＯＭ）からプログラムを順次読み取り、実行する。ＣＰＵ２０１のアドレスバスおよびデータバスは２０２のバスドライバー回路、アドレスデコーダ回路をへて各負荷に接続されている。また、２０４は入力データの記憶や作業用記憶領域等として用いる主記憶装置であるところのランダムアクセスメモリ（ＲＡＭ）である。２０５はＩ／Ｏインターフェースであり、操作者がキー入力を行い、装置の状態等を液晶、ＬＥＤを用いて表示する１４０の操作パネルや給紙系、搬送系、光学系の駆動を行うモーター類２０７、クラッチ類２０８、ソレノイド類２０９、また、搬送される用紙を検知するための紙検知センサ類２１０等の装置の各負荷に接続される。現像器１１８には現像器内のトナー量を検知する２１１のトナー残検センサが配置されており、その出力信号がＩ／Ｏポート２０５に入力される。２１５は高圧ユニットであり、ＣＰＵ２０１の指示に従って、前述の１次帯電器１１３、現像器１１８、転写前帯電器１１９、転写帯電器１２７、分離帯電器１２８へ高圧を出力する。
【００２７】
２０６は画像処理部であり、ＣＣＤユニット１０６から出力された画像信号が入力され、後述する画像処理を行い、画像データに従って１１７のレーザーユニットの制御信号を出力する。レーザーユニット１１７から出力されるレーザー光は感光ドラム１１０を照射し、露光するとともに非画像領域において受光センサであるところの２１３のビーム検知センサによって発光状態が検知され、その出力信号がＩ／Ｏポート２０５に入力される。
【００２８】
２１２はＲＴＣ（リアルタイムクロック）であり、カレンダー機能を有する。年月日及び時刻をセットすると、自動的に時刻を更新する。ＣＰＵ２０１はＲＴＣのレジスタを読み出す事で現在の時刻を知る事ができる。
【００２９】
５００は原稿自動送り装置１４２、インサーター給紙部１４１、給紙ユニット１２０、１２２、１２４にそれぞれ取り付けられるリーダーライタ部であり、非接触ＩＣの内容を読み込んだり、書き換える。
【００３０】
図６は画像形成装置におけるコントローラ部１３９内の画像処理部２０６のブロック図である。
【００３１】
ＣＣＤ１０８により電気信号に変換された画像信号は、まずシェーディング回路３０１によって画素間のばらつきの補正を行った後、３０２の変倍回路において、縮小コピー時はデータの間引き処理を行い、拡大コピー時はデータの補間を行う。次に、３０３のエッジ強調回路において、例えば５×５のウインドウで２次微分を行い、画像のエッジを強調する。この画像データは輝度データであるのでプリンターに出力するための濃度データに変換するため３０４のγ変換回路でテーブルサーチによりデータ変換を行う。濃度データに変換された画像データは３０５の２値化処理部へ入力される。ここでは例えばＥＤ法により多値データを２値データに変換する。２値に変換された画像データは３０７の合成回路に入力される。合成回路３０７では、入力された画像データと例えばＤＲＡＭにより構成される画像用メモリ３１０内の画像データを選択的に出力する、またはＯＲをとって出力する。この画像用メモリ３１０に対するリードライト制御はメモリ制御部３０９で行う。これらの画像データはレーザーの発光強度の信号に変換するためＰＷＭ回路３０８へ入力され、画像の濃度に従ったパルス幅をレーザーユニットに対して出力する。
【００３２】
操作パネル１４０の構成を図７に示す。ＬＣＤ表示部１０３２は、ＬＣＤ上にタッチパネルシートが貼られており、システムの操作画面を表示するとともに、表示してあるキーが押されるとその位置情報をＣＰＵ２０１に伝える。図８を用いて表示される画面について後述する。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００３３】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンターキーであり、コンピュータ等の外部装置からのプリント出力に関する設定などを行なうときに使用する。
【００３４】
１０３１は、音声キーであり、音声の入出力を受け付けるときに、キーを押下して設定を行い、設定をオフにする場合には再度、押下して設定を解除することができる。
【００３５】
２１７はスピーカーで、音声によるガイドがスピーカーを通して出力する。２１８はハンドセットであり、これを使用して音声を入力したり、音声ガイドを聞くことができる。
【００３６】
図８は、操作パネル１４０のＬＣＤ表示部に表示される基本画面である。
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザーモードキーであり、モードメモリの登録、標準モード画面の設定がユーザーごとに行える。１００４は応用ズームキーであり、原稿のＸ方向、Ｙ方向を独立に変倍するモード、原稿のサイズと複写サイズから変倍率を計算するズームプログラムのモードに入る。
【００３７】
１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。
【００３８】
１０１０はソーターキーであり、ソート出力、グループ出力等のモード設定を行う。１０１１は原稿混載キーであり、原稿フィーダーにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、複写用紙の選択を行う際に押す。
【００３９】
１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。
【００４０】
１０２１はＨｉＦｉキーであり、写真原稿のように中間調の濃度が多い原稿の複写の際に押す。１０２２は文字強調キーであり、文字原稿の複写で文字を際立たせたい場合に押下する。１０３３は音声設定キーであり、音声入出力に関する詳細な設定を行う時に押す。
【００４１】
次に、図９のフローチャート及び図１０の表示画面例、図１１、図１２、図１３のフローチャートを用いて本発明の画像形成装置の詳細な動作について説明する。
【００４２】
図９は画像形成装置の各給紙部にＲＦＩＤペーパーが置かれたら警告表示する例を示す。
【００４３】
まず、ＣＰＵ２０１はステップＳ１で各給紙部１２０、１２２、１２４に配置されたＲＦＩＤリーダー５００から、データを読み取る。次に、ステップＳ２で各給紙部１２０、１２２、１２４上にＲＦＩＤペーパーが検出されたかどうかを判断する。ステップＳ２の判断でＲＦＩＤペーパーが検出された場合はステップＳ３に進み、操作部に警告表示を行う。図１０に警告表示例を示す。図１０に示したように、「このままコピーするとペーパー内の情報が破損する恐れがあります」等の警告表示を行う。この表示画面から元の基本画面に戻る場合は戻るキー１０２４を押す。この警告表示は操作部上の図示しないＬＥＤの点灯、点滅等によって行ってもよい。一方、ステップＳ２の判断でＲＦＩＤペーパーが検出されなかった場合はそのまま終了する。
【００４４】
図１１は画像形成装置の高圧値、定着温度値とＲＦＩＤペーパーの定格値を比較して警告表示する場合について示す。
【００４５】
まず、ＣＰＵ２０１はステップＳ１で各給紙部１２０、１２２、１２４に配置されたＲＦＩＤリーダー５００から、データを読み取る。次に、ステップＳ２で各給紙部１２０、１２２、１２４上にＲＦＩＤペーパーが検出されたかどうかを判断する。ステップＳ２の判断でＲＦＩＤペーパーが検出された場合はステップＳ３に進み、ＣＰＵ２０１は装置の高圧値、定着温度値をＲＡＭ２０４上から読み取り、ＲＦＩＤペーパーから読み取った定格値と比較する。例えば、装置の高圧は転写高圧値、分離高圧値を読み取る。ＲＦＩＤペーパーから読み取った定格値は例えば、使用温度範囲０℃〜７０℃、耐電圧２ＫＶ等の値である。
【００４６】
次にステップＳ４に進み、装置の高圧値、定着温度値がＲＦＩＤペーパーの定格値以上かどうかを判断する。定格値以上と判断した場合はステップＳ５に進み、操作部に警告表示を行う。図１０に警告表示例を示す。図１０に示したように、「このままコピーするとペーパー内の情報が破損する恐れがあります」等の警告表示を行う。この表示画面から元の基本画面に戻る場合は戻るキー１０２４を押す。この警告表示は操作部上の図示しないＬＥＤの点灯、点滅等によって行ってもよい。一方、ステップＳ４の判断で定格値以上と判断されなかった場合とステップＳ２の判断でＲＦＩＤペーパーが検出されなかった場合はそのまま終了する。
【００４７】
図１２はＲＦＩＤペーパーのデータ保持寿命を判断して後処理装置の排出制御を行う場合について示す。
【００４８】
まず、ＣＰＵ２０１はステップＳ１でインサーター給紙部１４１に配置されたＲＦＩＤリーダー５００から、データを読み取る。次に、ステップＳ２でインサーター給紙部１４１上にＲＦＩＤペーパーが検出されたかどうかを判断する。ステップＳ２の判断でＲＦＩＤペーパーが検出された場合はステップＳ３に進み、ＣＰＵ２０１はＲＴＣ２１２からカレンダー情報である年月日、時刻及び、ＲＦＩＤペーパーから製造年月日データを取得する。
【００４９】
次にステップＳ４で現在までのデータ保持時間を算出する。この時間はＲＴＣ２１２からの年月日データからＲＦＩＤペーパーからの製造年月日データを減算することによって求める。次にステップＳ５に進み、ＲＦＩＤペーパー内に格納されているデータ保持時間の定格値（例えば１０年）を読み取り、ステップＳ４で求めた算出データと比較し、ステップＳ６で定格値以上かどうかを判断する。
【００５０】
ステップＳ６の判断で定格値以上と判断した場合はデータ保持寿命を超えている為、ステップＳ７に進み、ＲＦＩＤペーパーに第３トレイ排出フラグをセットする。このフラグがセットされている事でＣＰＵ２０１は後処理装置への排紙時に第３トレイへの排出制御を行う。一方、ステップＳ６の判断で定格値以上ではないと判断した場合は通常使用が可能な為、ステップＳ７に進み、ＲＦＩＤペーパーに第１または第２トレイ排出フラグをセットする。このフラグがセットされている事でＣＰＵ２０１は後処理装置への排紙時に第１または第２トレイへの排出制御を行う。例えば後処理装置に第１〜第３までの排紙トレイがある場合、インサーター給紙部から給紙されたＲＦＩＤペーパーはデータ保持寿命があるものは第１または第２トレイへ排出され、第３トレイへはデータ保持寿命が過ぎたＲＦＩＤペーパーが排出される。
【００５１】
図１３はインサーター給紙部に置かれたＲＦＩＤペーパーを仕切り紙として使用する場合について示す。
【００５２】
まず、ＣＰＵ２０１はステップＳ１で指定ＪＯＢがインサーターを使用するモードかどうかを判断する。ステップＳ１の判断でインサーター給紙要求のＪＯＢであると判断した場合はステップＳ２に進み、インサーター給紙部上の紙がＲＦＩＤペーパーかどうかを判断する。ステップＳ２でＲＦＩＤペーパーであると判断したら、ステップＳ３でＲＦＩＤペーパーにＪＯＢを識別する番号をＲＦＩＤライター５００を用いて格納する。ＪＯＢ識別番号が格納されたＲＦＩＤペーパーはステップＳ４でインサーター給紙部から給紙される。
【００５３】
一方、ステップＳ２の判断でＲＦＩＤペーパーではないと判断した場合はステップＳ４に進んでインサーター給紙部から給紙される。次にステップＳ５で該当ＪＯＢの出力紙が排出された後、インサーター給紙部から給紙された紙を仕切り紙として排出する。その時の排紙トレイは該当ＪＯＢで指定された第１トレイまたは第２トレイである。
【図面の簡単な説明】
【００５４】
【図１】本発明の画像形成装置の概略動作を説明するための断面図
【図２】ＲＦＩＤペーパーの概略図
【図３】ＲＦＩＤ内の非接触ＩＣ部のブロック図
【図４】ＲＦＩＤリーダーライタ部のブロック図
【図５】本発明の画像形成装置におけるコントローラ部１３９のブロック図
【図６】本発明の画像形成装置におけるコントローラ部１３９内の画像処理部２０６のブロック図
【図７】本発明の画像形成装置における操作パネル１４０の構成を示す概略図
【図８】操作パネル１４０のＬＣＤ表示部に表示される基本画面
【図９】本発明の画像形成装置の詳細な動作を示したフローチャート
【図１０】ＬＣＤ表示部の表示例
【図１１】本発明の画像形成装置の詳細な動作を示したフローチャートである。
【図１２】本発明の画像形成装置の詳細な動作を示したフローチャートである。
【図１３】本発明の画像形成装置の詳細な動作を示したフローチャートである。
【符号の説明】
【００５５】
１０１  原稿台ガラス
１０２  原稿照明ランプ
１０３、１０４、１０５  走査ミラー
１０６  ＣＣＤユニット
１０７  結像レンズ
１０８  撮像素子
１０９  ＣＣＤドライバ
１１０  感光ドラム
１１１  クリーナー
１１２  前露光ランプ
１１３  １次帯電器
１１７  露光手段
１１８  現像器
１１９  転写前帯電器
１２０、１２２、１２４  給紙ユニット
１２１、１２３、１２５  給紙ローラ
１２６  レジストローラ
１２７  転写帯電器
１２８  分離帯電器
１２９  搬送ベルト
１３０  定着器
１３１  フラッパ
１３２  フィニッシャー
１３３〜１３６  給送ローラ
１３７  中間トレイ
１３８  再給送ローラ
１３９  コントローラ部
１４０  操作パネル
１４１  インサーター給紙部
１４２  原稿自動送り装置
５００  リーダーライタ部
【図１】
2006220709.tif 000003
【図２】
2006220709.tif 000004
【図３】
2006220709.tif 000005
【図４】
2006220709.tif 000006
【図５】
2006220709.tif 000007
【図６】
2006220709.tif 000008
【図８】
2006220709.tif 000009
【図９】
2006220709.tif 000010
【図１０】
2006220709.tif 000011
【図１１】
2006220709.tif 000012
【図１２】
2006220709.tif 000013
【図１３】
2006220709.tif 000014
【図７】
2006220709.tif 000015